(57)【要約】【課題】運転操作が容易で散布状態の確認が容易な乗用自走式噴霧装置を得ることを目的とする。【解決手段】液体を収容する機体よりも幅広のタンク２０を後部に搭載して自走する乗用型の走行車輌１の前側に、上下四辺リンクの昇降機構１４を介して上下動する昇降機枠を設け、この昇降機枠に、左右方向中央部のセンター噴霧管３５を取り付け、さらに、このセンター噴霧管３５の左右両側部に、アクチュエータ４５の本体側を枢着する一方、アクチュエータ４５のピストン４５ａ側を傾斜軸芯４１廻りに回動可能な可動部材４２に枢着し、この可動部材４２にサイド噴霧管４８を固着し、サイド噴霧管４８を傾斜軸芯４１廻りで回動させることにより走行車輌１の左右幅方向でセンター噴霧管３５の左右両端部に略々一直線状に延ばした幅広噴霧作業可能状態と、サイド噴霧管４８が車体４側の操縦座席６上方に近づく幅狭収納状態とに切換可能に構成する。【選択図】図１
2005000918.tif 000002
【特許請求の範囲】
【請求項１】
灌水用あるいは消毒用の液体を収容する機体よりも幅広のタンク２０を後部に搭載して自走する乗用型の走行車輌１の前側に、上下四辺リンクの昇降機構１４を介して上下動する昇降機枠を設け、この昇降機枠に、前記走行車輌１の左右側全幅と同等あるいはそれよりやや広い左右方向中央部のセンター噴霧管３５を取り付け、さらに、このセンター噴霧管３５の左右両側部に、アクチュエータ４５の本体側を枢着する一方、アクチュエータ４５のピストン４５ａ側を傾斜軸芯４１廻りに回動可能な可動部材４２に枢着し、この可動部材４２にサイド噴霧管４８を固着し、前記アクチュエータ４５を伸縮させてサイド噴霧管４８を傾斜軸芯４１廻りで回動させることにより走行車輌１の左右幅方向でセンター噴霧管３５の左右両端部に略々一直線状に延ばした幅広噴霧作業可能状態と、サイド噴霧管４８が車体４側の操縦座席６上方に近づくように斜め後上がり姿勢になる幅狭収納状態とに切換可能に構成したことを特徴とする乗用自走式噴霧装置。
【発明の詳細な説明】
【技術分野】
【０００１】
この発明は、灌水作業や消毒作業を行う乗用自走式噴霧装置に関する。
【背景技術】
【０００２】
従来、乗用型車輌の一例である農業用トラクタに消毒液を収容するタンクを後部側に搭載して、この後部側タンクの更に後部に、消毒用の噴霧管を有するブームが左右側の上下に回動するように構成した乗用式噴霧装置や、特許文献１に示すようにトラクタ機体前部に左右二分割したブームを取り付けて散布作業をするものがあった。
【特許文献１】特開平３−２１３６５号公報
【発明の開示】
【発明が解決しようとする課題】
【０００３】
従来装置の場合にあっては、散布状態が操縦者に見え難い欠点やブームを収納したとき、機体の前後長が長くなり運転操作が難しくなるという課題があった。
【課題を解決するための手段】
【０００４】
この発明は、前記の問題点を解消するために次のような技術的手段を講じた。
即ち、灌水用あるいは消毒用の液体を収容する機体よりも幅広のタンク２０を後部に搭載して自走する乗用型の走行車輌１の前側に、上下四辺リンクの昇降機構１４を介して上下動する昇降機枠を設け、この昇降機枠に、前記走行車輌１の左右側全幅と同等あるいはそれよりやや広い左右方向中央部のセンター噴霧管３５を取り付け、さらに、このセンター噴霧管３５の左右両側部に、アクチュエータ４５の本体側を枢着する一方、アクチュエータ４５のピストン４５ａ側を傾斜軸芯４１廻りに回動可能な可動部材４２に枢着し、この可動部材４２にサイド噴霧管４８を固着し、前記アクチュエータ４５を伸縮させてサイド噴霧管４８を傾斜軸芯４１廻りで回動させることにより走行車輌１の左右幅方向でセンター噴霧管３５の左右両端部に略々一直線状に延ばした幅広噴霧作業可能状態と、サイド噴霧管４８が車体４側の操縦座席６上方に近づくように斜め後上がり姿勢になる幅狭収納状態とに切換可能に構成したことを特徴とする乗用自走式噴霧装置とする。
【発明の効果】
【０００５】
この発明は、前記の如く構成したので、次のような効果を奏する。即ち、走行車輌１の最前部に左右方向にセンター噴霧管３５を取り付けており、このセンター噴霧管３５の両端部の傾斜軸芯４１廻りにサイド噴霧管４８の基部を取り付けており、サイド噴霧管４８がアクチュエータ４５の作動によって傾斜軸芯４１を中心に機体側に近づくように斜め方向後上方に回動するから操作時間が短くてすみ、また、センター両端部よりも前方や下方にサイド噴霧管４８の基端部が突出せず、走行車輌の操縦を容易に行うことができる。また、幅狭収納状態としたとき、サイド噴霧管４８は、車体側４側後部のタンク２０前部に設けた操縦座席６上方に近づくように斜め後上がり姿勢に折り畳むようにしたことにより、サイド噴霧管４８を運転者が近くで見ながら作動できる。
【発明を実施するための最良の形態】
【０００６】
前輪と後輪の操舵ができる乗用型車輌であって、センター噴霧管に対するサイド噴霧管の回動を電動シリンダーを用いて行う乗用自走式噴霧装置を例に挙げて説明する。
【実施例】
【０００７】
この発明の一実施例について、図面に基づき詳細に説明すると、１は乗用型車輌の一例である、四輪駆動型のトラクタである。図１及び図２から明らかな通り、前輪２，２と後輪３，３を有する車体４の上部前側にボンネット５でカバ−されたエンジンを搭載し、その後部に操縦座席６を設け、ボンネット後端の左右中央にステアリングポストを立設させてハンドル７を設けている。図示省略をしたが、このトラクタ１の前輪２，２と後輪３，３は操縦座席側から選択切換できるプッシュボタン８ａ，８ｂ，８ｃにより前輪操舵、後輪操舵及び前後輪操舵に切換可能なものにしている。９は変速主レバ−、１０は副変速レバ−、１１はスロットルレバ−である。１２は操縦席フロアで車体の上面側に張設されている。
【０００８】
１３はフロントヒッチで、車体４の前端に設けられている。１４は昇降機構で、前記フロントヒッチ１３に適宜脱着可能な固定基枠１５に上リンク１６と下リンク１７の基部側を横方向の軸芯の回りに回動可能に枢着し、両リンク１６，１７の先端側を連結ヒッチ枠１８で枢結してこの連結ヒッチ枠１８を昇降可能にリンク組みならしめている。そして、この昇降機構１４のリンク構成は、昇降上下の中間を境に連結ヒッチ枠１８の傾きが上端側が後方に向かったり前方に向かったりするように基部側のリンク支点間隔Ｍよりも先端側のリンク支点間隔Ｌを広くしている。１９は電動シリンダで、基部側を連結ヒッチ枠１８に枢結すると共にピストン側を前記下リンク１７に枢結してピストン１９ａの出入り作動で連結ヒッチ１８が昇降作動するように構成している。
【０００９】
２０はタンクで、潅水用の水や消毒液を収納する樹脂製のタンクであり、操縦座席６の左右側と後方側とを取り囲むように平面視がコ字型に形成されていて後方側へ滑らしながら容易に脱着できるようになっている。そして、このタンク２０の右側部分の上部に噴霧装置の切替弁や圧力調整弁あるいは噴霧位置の切替弁等の噴霧調節操作部２１を該タンク２０と一体的に設けている。２２は液体供給蓋、２３はタンク２０のセットネジを示す。２４は動噴ポンプで、タンク２２の後方下側の前記車輌１であるトラクタのリヤ−ヒッチ２５に着脱可能に取付けられて、図示省略のリヤ−出力軸から駆動されるようになっている。
【００１０】
２６は噴霧装置で、センター噴霧機枠２７部とサイド噴霧機枠３９部に分割可能になっていて、次のように構成されている。センター噴霧機枠２７は、前記連結ヒッチ枠１８の前端部分に上下２段に固着した係合軸２８，２９の何れか側に選択して引っ掻け得るフック様の切欠係止部３０と、その係止状態で所定の角度に回動させるときに連結ヒッチ枠１８側共々ピン３１の挿脱が可能な固着孔３２を有する脱着金具３３を一体的に備え、このセンター噴霧機枠２７に噴霧ノズル３４，３４，．．．を所定の左右間隔で取付けたセンター噴霧管３５を該ノズル３４が下向きとなるように固着している。３６は脱着時にセンター噴霧機枠２７を回動作動するための把手を示す。３７は後述のサイド噴霧機枠を折畳み時に支えるための支柱であり、センター噴霧機枠２７の左右端側に基部が固着されてセット時において後方上方に向かうように設けられている。そして、この支柱３７の上端に該噴霧機枠全体を持ち上げて運搬する運搬用把手３８が設けられている。尚、この運搬用把手３８の握り部分の方向は噴霧機枠全体（センター及びサイドの全噴霧枠部を含む）を左右の支柱３７側で吊り下げた時の重力方向に構成し、バランスが保たれて運べるようになっている。
【００１１】
サイド噴霧機枠３９は、前記センタ−噴霧機枠２７の左右先端側に固着のブラケット４０にピン４１で後方上方向かって回動可能な可動部材４２と、この可動部材４２にピン４３で略々水平回りに後方側にのみ回動可能な金具４４に固着されている。４５はサイド噴霧機枠３９をピン４１の回りに回動作動させる電動シリンダで、シリンダ本体側を前記センタ噴霧機枠２７に枢結させると共に、そのピストン４５ａを前記可動部材４２に枢結してピストン４５ａの突出により該サイド噴霧機枠３９が延びる方向と同一方向でその延長線上に該サイド噴霧機枠３９が展開され、ピストン４５ａの引っ込みによって後方上方側へ屈折作動されるように構成している。４６はサイド噴霧機枠３９を引き上げ方向へ弾持するスプリングで、前記支柱３７と前記可動部材との間に介在されており、前記伝動シリンダ４５によるサイド噴霧機枠３９の維持と振り上げ力を助ける働きをさせている。
【００１２】
また、スプリング４７はサイド噴霧機枠３９と金具４４との間に介在して、サイド噴霧機枠３９が左右横方向に延びている状態において、前方側からこの機枠３９に異物が当接するとき該機枠３９がピン４３の回りに回動してこの機枠３９の破損を防止し、異物の当接が除かれるとセンタ−噴霧機枠２７と一直線になる元の状態に復帰させる働きをするものである。
【００１３】
４８はサイド噴霧管で、前記サイド噴霧機枠３９の下側部分に沿わせて取付けられ、この機枠３９よりも外方へ延長ならしめ、これに噴霧ノズル３４，３４，・・・を所定の左右間隔で取付けている。４９は屈曲自在なゴム製の連結ホ−スで、前記動噴ポンプ２４から噴霧調節操作部２１の各弁を経て、前記センタ−噴霧管３５，サイド噴霧管４８に圧液が送られるように連結するホ−スである。
【００１４】
５０はサイド噴霧機枠３９の振り上げ状態を維持させるロック装置で、前記センタ−噴霧機枠２７に一体で両端に直角で後方上方に立設した支柱３７に取付けたサイド噴霧機枠３９を挟持する挟持金具５１とこの挟持金具５１の内部にサイド噴霧機枠３９を嵌入させた状態時にその入り口から不測に脱落しないように入り口を閉鎖するロック金具５２とからなり、このロック金具５２を前記サイド噴霧管４８にその管４８の方向にレバ−５３で移動可能に設けたロッド５４で操作可能に設けている。そして、このレバ−５３は、当然サイド噴霧機枠３９及びサイド噴霧管４８と一体的に設けられているが、該サイド噴霧機枠３９及びサイド噴霧管４８が上方後方へ振り上げられた状態において、操縦座席側から容易に操作できる位置になるよう構成されている。５５はロック状態を保持するスプリング、５６はロッド５４を挿通し、かつロック金具５２が非ロック状態を保持するようにレバ−５３を係止させるレバ−ガイドである。
【００１５】
尚、図中５７は、センター噴霧機枠２７にブラケット５８を介して固着の移動用転動輪を示す。
次に、上例の作用を詳述すると、乗用型車輌１は、後部のタンク２０及び動噴ポンプ２４及び噴霧装置２６更に昇降機構１４を外すことによって単なる車輌となり、他の作業用の車両輛になり得る。また、潅水作業あるいは消毒作業では、図示した状態でこれらの作業ができる。
【００１６】
即ち、この車輌を圃場の作物が植生する畝を跨いだ状態で運行させながら操縦者が噴霧調節操作部の適宜な操作をすることにより噴霧装置２６側へ液体を給送ならしめ、センタ−噴霧管３５、サイド噴霧管４８の噴霧ノズル３４から圧力給送させた液を噴霧状態で車輌が跨いでいる畝及び左右側の畝で成育している植物（野菜や花）に潅水あるいは消毒をする。
【００１７】
そして、圃場の端に達するとき、潅水作業や消毒作業を継続または中断させて車輌を旋回させ、未作業部分の畝側に該車輌を運行移動するが、このとき、左右両側のサイド噴霧機枠３９の必要側を後方上方へ振り上げて噴霧装置２６の左右幅を狭くし、容易に旋回できるようにする。この操作にあたっては、操縦座席９の近傍位置に設けたスイッチ（ロ）、（ハ）で左右側の電動シリンダー４５，４５を各別に作動させてピストン４５ａ，４５ａの一方または両方を引っ込めると左右のサイド噴霧機枠３９が図１、図２のようにピン４１の回りに回動して振り上げられる。この状態は路上運行時にも同じであるが、路上運行時には不測に該サイド噴霧機枠３９が下方側に回動するのを防止するためにロック装置５０を働かせることが必要になる。また、スプリング４６で常時サイド噴霧機枠３９を引き上げ方向に彈持させているから、引き上げ力は弱くてよく大型の電動シリンダーは必要でない。
【００１８】
また、作業中に畦畔や杭等の異物にサイド噴霧機枠３９が衝突するとピン４３の回りにスプリング４７に抗して後方側に該機枠３９が回動し、機枠３９や噴霧管４８を破損させないで保持でき、異物が通り過ぎると元に復帰する。また、畝高さの差異あるいは作物の成育状態で噴霧高さを変更させるには、昇降機構１４の電動シリンダ−１９をスイッチ（イ）で作動させ、昇降高さを変更調節すればよい。また、この昇降機構１４の調節範囲では調節できない場合には、噴霧装置２６全体を、センタ−噴霧機枠２７を係合軸２８あるいは２９側へ係合させることで変更できる。
【００１９】
噴霧装置２６を昇降機構１４側から取り外して適所に格納、保管するような場合の取外し運搬にあたっては、独り作業が可能である。即ち、左右のサイド噴霧機枠３９を上方へ振り上げて折り畳み、かつロック装置５０でロックさせた状態で、片手で把手３６を掴み、ピン３１を外して持ち上げながら係合軸２８から脱着金具３３の切欠係止部３０をはずして地面に下ろし、次に、左右側の運搬用把手３８を掴んで持ち上げながら運搬すればよい。この時、噴霧装置２６の重心が把手３８で吊り下げたときに丁度その把手の垂直側にかかって前後方向の回動がない状態の位置と方向を選んで構成してあるから容易に持ち上げて運搬できる。
【００２０】
尚、前記昇降機構１４は、その昇降によって図１のように噴霧装置２６の車輌１に対する角度が変更さされるが、この変更は、上昇されたときに折り畳み状態のサイド噴霧管４８を含むサイド噴霧機枠３９の角度がゆるくなり、下降したときは逆に急角度になって、上昇したときにサイド噴霧管４８の上端部の高さを低くして路上走行時の邪魔にならないようにしている。
【図面の簡単な説明】
【００２１】
【図１】一部破断の側面図
【図２】一部省略の平面図
【図３】要部の一部断面した側面図
【図４】要部の正面図
【図５】要部の斜面図
【符号の説明】
【００２２】
１    走行車輌
１３  フロントヒッチ
１４  昇降機構
２０  タンク
２６  噴霧装置
２７  センタ−噴霧機枠
３４  噴霧ノズル
３５  センタ−噴霧管
３９  サイド噴霧機枠
４８  サイド噴霧管
【図１】
2005000918.tif 000003
【図２】
2005000918.tif 000004
【図３】
2005000918.tif 000005
【図４】
2005000918.tif 000006
【図５】
2005000918.tif 000007